(57)【要約】【課題】高所作業車において、作業台の設定位置を昇降等において構造物との接触を作業者自身が対応して回避でき、作業車の走行中でも作業者の安全を確保できる高所作業車用安全具を提供する。【解決手段】高所作業車の昇降及び水平方向への移動が可能な作業台に設置されるポールに装着する安全具１である。傾斜検出センサ６を備えた棒状体の本体２が傾倒自在に装着部材３と一直線状に連設される。前記本体２に発光手段８及びブザー９を備えると共に、当該発光手段８及びブザー９の各作動と前記傾斜検出センサ６とが関連付けられた構成とする。【選択図】  図２
2018070331.tif 000002
【特許請求の範囲】
【請求項１】
高所作業車の昇降及び水平方向への移動が可能な作業台に設置されるポールに装着する具であって、傾斜検出センサを備えた棒状体の本体が傾倒自在に装着部材と一直線状に連設されており、前記本体に発光手段及びブザーを備えると共に、当該発光手段及びブザーの各作動と前記傾斜検出センサとが関連付けられた構成であることを特徴とする高所作業車用安全具。
【請求項２】
本体と装着部材間にスプリングが介在した状態で一直線状に連設されていることを特徴とする請求項１に記載の高所作業車用安全具。
【請求項３】
本体の接触部となる上部がゴム材で形成されていることを特徴とする請求項１又は２に記載の高所作業車用安全具。
【請求項４】
装着部材から外方へ飛び出した位置に、走行車線を感知する路面照射レーザーが付設されており、前記発光手段及びブザーの各作動と前記路面照射レーザーとが関連付けられた構成であることを特徴とする請求項１乃至３のいずれかに記載の高所作業車用安全具。
【発明の詳細な説明】
【技術分野】
【０００１】
本発明は、建設現場や道路等おいて、構造物の点検や修理等に用いられる高所作業車に付設する高所作業車用安全具に関し、作業員の転落事故や建造物との接触事故等を未然に防止することを目的とする。
【背景技術】
【０００２】
例えば、道路における構造物の点検業務に高所作業車は欠かせない作業機械である。
そして、高所作業車を使用する祭に、作業者が構造部との接触における転倒や本線上への張出しによる接触等の危険を伴う。
【０００３】
上記の危険を防止すため特開平５−１２４８００号公報では、作業員を搭乗させることができるバケットと、このバケットの一部に固定されて車体全体を操縦することができる制御装置とからなる高所作業車において、バケットの一部であって制御装置に接近する位置に発光手段と受光手段を設け、この発光手段と受光手段を対向して位置させ、発光手段から受光手段への光線を作業員が遮蔽したことを検知して高所作業車の運転機能を停止させる構成が開示されている。
【０００４】
また、特開２０１６−５５９８３号公報では、昇降自在になるバスケットを備えた高所作業車において、バスケットに着脱自在に取り付けられる近接センサと、検出されたバスケット２と上部障害物の距離が所定値よりも接近している際に、その近接について作業者と周囲の者に報知させるように制御するコントローラと、この信号によりバスケットが上部障害物に接近していることを作業者に報知する手段を備え、コントローラからの信号により、操作装置における緊急停止スイッチを作動させ、昇降装置の上昇を停止させる構成が開示されている。
【先行技術文献】
【特許文献】
【０００５】
【特許文献１】特開平５−１２４８００号公報
【特許文献２】特開２０１６−５５９８３号公報
【特許文献３】特開平８−１４３２９７号公報
【発明の概要】
【発明が解決しようとする課題】
【０００６】
上記の各公知文献では、高所作業車の作業台と構造物との距離を検知して作業台の上昇を制御することを主目的とし、或いは前記検知に基づいて作業車に危険が迫るのを報知することを特徴とするものである。
そして、危険を察知した時に作業台を自動・強制的に停止させるものとしている。
【０００７】
即ち従来の高所作業車では、作業台の設定位置を昇降等において構造物との接触を作業者自身が対応して回避でき、作業車の走行中でも作業者の安全を確保できる高所作業車用安全具を提供せんとするものである。
【課題を解決するための手段】
【０００８】
上記の課題を解決するため、本発明の高所作業車用安全具の請求項１は、高所作業車の昇降及び水平方向への移動が可能な作業台に設置されるポールに装着する具であって、傾斜検出センサを備えた棒状体の本体が傾倒自在に装着部材と一直線状に連設されており、前記本体に発光手段及びブザーを備えると共に、当該発光手段及びブザーの各作動と前記傾斜検出センサとが関連付けられた構成であることを特徴とするものである。
【０００９】
請求項２の高所作業車用安全具の発明は、請求項１の発明において、本体と装着部材間にスプリングが介在した状態で一直線状に連設されていることを特徴とするものである。
【００１０】
請求項３の高所作業車用安全具の発明は、請求項１又は２の発明において、本体の接触部となる上部がゴム材で形成されていることを特徴とするものである。
【００１１】
請求項４の高所作業車用安全具の発明は、請求項１乃至３のいずれかに記載の発明において、装着部材から外方へ飛び出した位置に、走行車線を感知する路面照射レーザーが付設されており、前記発光手段及びブザーの各作動と前記路面照射レーザーとが関連付けられた構成であることを特徴とするものである。
【発明の効果】
【００１２】
本発明の請求項１の高所作業車は、昇降可能な作業台を備えた高所作業車において、前記作業台の隅部に立設されたポールに本安全具を装着部材で装着すれば、ポールの高さを調節して作業員の頭上の適宜高さに本安全具を立設して設置することが可能である。
【００１３】
そして、傾斜検出センサを備えた本体が構造物に接触して傾倒すれば、前記傾斜検出センサが感知して信号を発し、関係している発光手段を点灯させ、ブザーを鳴らして警報を発し、作業者に注意を喚起する作用を奏する。
よって、作業者が作業台の上昇を停止させる迅速な操作が可能と成り、安全を確保できる効果を発揮するものである。
【００１４】
また、構造物との接触等により、本体が傾倒するため衝撃が緩和されて本安全具及び構造物の損傷及び破損を防止できる効果があり、特に、作業車を徐行させながらの作業に有効となる。
さらに、本案具を水平方向に高所作業車の車幅側方に突出させて設置すれば、側方における構造物との危険な状態を警報して回避できる効果を発揮する。
【００１５】
請求項２の発明は、請求項請求項１に記載の効果に加えて、本体と装着部材間にスプリングが介在した状態で一直線状に連設されているため、簡便な構成で目的の作用効果を得られる効果を有する。
【００１６】
請求項３の発明は、請求項１又は２に記載の効果に加えて、本体の接触部となる上部がゴム材で形成されているため、構造物との接触等の衝撃がより緩和されて本安全具及び構造物の損傷及び破損を更に防止できる効果がある。
【００１７】
請求項４の発明は、請求項請求項１乃至３のいずれかに記載の効果に加えて、装着部材から水平方向への外方へ飛び出した位置に、走行車線を感知する路面照射レーザーが付設されており、前記発光手段及びブザーの各作動と前記路面照射レーザーとが関連付けられた構成であるため、作業台が隣接の走行車線に入るのを察知して警報を発して作業者に注意を喚起する効果を有する。
【図面の簡単な説明】
【００１８】
【図１】本発明の高所作業車用安全具の一実施の形態を示す外観図である。
【図２】図１の断面図である。
【図３】使用の状態を示す参考図である。
【図４】本発明の他の実施の形態を示す外観図である。
【発明を実施するための形態】
【００１９】
本発明の実施態様を図面に基づいて説明する。
図１及び図２は本発明の一実施例を示すものであり、安全具１は本体２と装着部材３間にスプリング４が介在した状態で一直線状に連設され、本体２が装着部材３に対して水平３６０度の方向へ傾倒可能に構成されている。
【００２０】
本体２は棒状体で、下部にボックス５が形成され、ボックス５に下設した係止片５１に前記スプリング４の一端４１が巻着し、他端４２は装着部材３の上面に起設した係止片３１に巻着して本体２と装着部材３を一直線状に連設している。
【００２１】
ボックス５内には、傾斜検出センサ６が基板７に装備され、外部に向かって発光するＬＥＤランプ８及びブザー９が関連付けられた構成で収容されている。
そして、水平３６０度の傾斜を検知した傾斜センサ６から電気的出力でＬＥＤランプ８及びブザー９のスイッチをＯＮ／ＯＦＦするものである。
図中１２はバッテリーである。
【００２２】
本体２の接触部となる上部はゴム材１０で形成されており、構造物との接触や衝突の衝撃を和らげる作用を奏する。
ゴム材１０の下端部はボックス５の上面取付孔に圧入され、また、ゴム材１０には芯材１１が嵌入してあり、下端がボックス５内に貫通して傾斜センサ６に連結されている。
芯材１１はゴム材１０を補強すると共に、傾斜センサ６へ傾倒を確実に伝える作用を奏するものである。
【００２３】
本発明の安全具１の使用方法は、高所作業車１００の昇降及び水平方向への移動が可能な作業台１０２に設置されるポール１０１に装着するものである。
ポール１０１は作業台１０２の隅部に立設され、伸縮自在の構成を有し、本安全具１の装着部３を冠着して装置する。
【００２４】
次に、作業前に、ポール１０１を伸縮して本案具１の本体２の上端頂部の高さを、作業者が作業台１０２上で構造物（例えばトンネルの天井壁面。）に接触や衝突せず安全に作業できるように設定し、作業台１０２を上昇させるものである。
そして、作業に適応する高さに作業台１０２を調整するのであり、危害が生じる高さであれば、本安全具が作動して警報を発するため、作業者が上昇を停止させて危険を回避するものである。
【００２５】
また、高所作業車１００を徐行させながらの作業においても、危害を及ぼす構築物（トンネルの壁面や換気装置等）があれば、本体２に接触又は衝突してライトやブザー音で報知するため、前記同様に危険を回避するものである。
【００２６】
図４は他の実施の形態を示す外観図であり、装着部材３から外方へ飛び出した位置に、走行車線を感知する路面照射レーザー１３が付設されており、前記ＬＥＤランプ８及びブザー９の各作動と前記路面照射レーザー１３とが関連付けられた構成である。
【００２７】
したがって、走行車線や側部ライン線を感知して警報を発することができるため、作業台１０２が水平方向に移動して車線を越えた張出しの危険を回避できるものである。
【００２８】
以上説明した本発明の技術的範囲は、上記の実施の形態例に限定されるものではなく、本明細書及び図面に記載した事項から明らかになる本発明が真に意図する技術的思想の範囲全体に、広く及ぶものである。
【符号の説明】
【００２９】
１    安全具
２    本体
３    装着部材
４    スプリング
５    ボックス
６    傾斜検出センサ
７    基板
８    ＬＥＤランプ
９    ブザー
１０  ゴム材
１１  芯材
１２  バッテリー
１３  路面照射レーザー
【図１】
2018070331.tif 000003
【図２】
2018070331.tif 000004
【図３】
2018070331.tif 000005
【図４】
2018070331.tif 000006